(57)【要約】【課題】接続プレートの箱本体への表裏誤組付を簡単な構造で防止して作業性の向上を図ると共に、接続プレートの箱本体への仮固定を正確且つ確実に行うことができる、新規な構造の電気接続箱を提供すること。【解決手段】箱本体１２に接続プレート１４ａ，１４ｂが装着される装着凹部１６ａ，１６ｂが形成されており、該装着凹部１６ａ，１６ｂに前記接続プレート１４ａ，１４ｂを圧入して組み付ける一方、前記装着凹部１６ａ，１６ｂの底面１８に誤結防止突起３２を突設して、前記接続プレート１４ａ，１４ｂに、正規の組付状態で前記装着凹部１６ａ，１６ｂの底面１８に重ね合わされる面３４において前記誤結防止突起３２を収容する収容部４２を形成した。【選択図】図５
2011223694.tif 000002
【特許請求の範囲】
【請求項１】
内部回路が収容された箱本体に対して、前記内部回路に導通されており、外部端子が接続される接続プレートが装着されている電気接続箱において、
前記箱本体に前記接続プレートが装着される装着凹部が形成されており、該装着凹部に前記接続プレートが圧入されて組み付けられている一方、前記装着凹部の底面に誤結防止突起が突設されていると共に、前記接続プレートには、正規の組付状態で前記装着凹部の底面に重ね合わされる面において前記誤結防止突起が収容される収容部が形成されていることを特徴とする電気接続箱。
【請求項２】
前記収容部が前記接続プレートにおいて前記装着凹部の底面に重ね合わされる前記面に開口する凹部によって構成されている一方、前記誤結防止突起の突出高さ寸法が前記凹部の深さ寸法以下とされている請求項１に記載の電気接続箱。
【請求項３】
前記収容部が前記接続プレートの厚さ方向に貫通する貫通孔によって構成されている請求項１に記載の電気接続箱。
【請求項４】
前記誤結防止突起の突出高さ寸法が前記装着凹部の深さ寸法以上とされている請求項１〜３の何れか１項に記載の電気接続箱。
【請求項５】
前記収容部に対して、前記誤結防止突起が外周面上に隙間を隔てて収容されるようになっている請求項１〜４の何れか１項に記載の電気接続箱。
【請求項６】
前記装着凹部の周壁部には、周上の複数箇所において内周面上に突出する圧入リブが一体形成されており、前記装着凹部に嵌め入れられた前記接続プレートの外周面がこれら複数の圧入リブの突出先端部に対して当接されて位置決め嵌合されている請求項１〜５の何れか１項に記載の電気接続箱。
【発明の詳細な説明】
【技術分野】
【０００１】
本発明は、自動車等に搭載される電気接続箱に係り、特に、外部端子が接続される接続プレートを備えた電気接続箱に関する。
【背景技術】
【０００２】
従来から、電気接続箱の内部回路に対して外部回路の接続端子（外部端子）を接続する構造として、接続プレートを使用する構造が知られている。例えば特開平１０−１８８７７４号公報（特許文献１）に記載のとおり、箱本体に収容された内部回路に導通された接続プレートを設け、この接続プレートに対して外部端子を装着してボルト締めすることにより、内部回路と外部回路とを導通させるようになっている。
【０００３】
ところで、このような電気接続箱においては、合成樹脂製の箱本体に装着凹部を形成して、この装着凹部に対して接続プレートを圧入状態で仮固定した後に、外部端子をボルト締結する構造が提案されている。このようにすることで、外部端子のボルト締結前に接続プレートが箱本体に対して安定して保持されて、電気接続箱の組付作業性の向上が図られる。
【０００４】
ところが、接続プレートの組付に際して、接続プレートの形状によっては接続プレートの表裏の判別が難しく、表裏を誤って組み付けてしまう場合があった。また、一旦表裏を誤って組み付けた場合には、圧入の嵌合力により接続プレートが箱本体の装着凹部に対して強固に嵌め合わされていることから、接続プレートを取り外す作業が煩雑となる。
【０００５】
しかも、接続プレートの誤組付により、箱本体に形成された装着凹部の周壁部が緩んでしまい、その後の正規位置での接続プレートの組付時には、所期の嵌合力が得られないという問題もあった。
【先行技術文献】
【特許文献】
【０００６】
【特許文献１】特開平１０−１８８７７４号公報
【発明の概要】
【発明が解決しようとする課題】
【０００７】
本発明は、上述の事情を背景に為されたものであって、その解決課題は、接続プレートの箱本体への表裏誤組付を簡単な構造で防止して作業性の向上を図ると共に、接続プレートの箱本体への仮固定を正確且つ確実に行うことができる、新規な構造の電気接続箱を提供することを目的とする。
【課題を解決するための手段】
【０００８】
本発明の第一の態様は、内部回路が収容された箱本体に対して、前記内部回路に導通されており、外部端子が接続される接続プレートが装着されている電気接続箱において、前記箱本体に前記接続プレートが装着される装着凹部が形成されており、該装着凹部に前記接続プレートが圧入されて組み付けられている一方、前記装着凹部の底面に誤結防止突起が突設されていると共に、前記接続プレートには、正規の組付状態で前記装着凹部の底面に重ね合わされる面において前記誤結防止突起が収容される収容部が形成されていることを、特徴とする。
【０００９】
第一の態様に従う電気接続箱においては、接続プレートの表裏が正しい向きで装着凹部に重ね合わされる場合には、誤結防止突起が接続プレートに形成された収容部内に収容されて、接続プレートを装着凹部にスムーズに圧入固定することが出来る。一方、接続プレートが表裏反転して装着凹部に重ね合わされた場合には、誤結防止突起が収容部に収容されずに、接続プレートが誤結防止突起上に乗ることによって、装着凹部への圧入が阻止される。従って、接続プレートが装着凹部に完全に圧入嵌合される前に誤組付を阻止することが出来、従来のように誤方向での圧入嵌合後に接続プレートを取り外して組み付けをやり直す場合に比して、作業の修正が容易となる。
【００１０】
そして、接続プレートが装着凹部に完全に圧入嵌合される前に誤組付けを阻止出来ることから、表裏反転状態で接続プレートが圧入されることに起因する装着凹部の緩みを、接続プレートが誤結防止突起で阻止される位置までに留めることが出来る。これにより、誤組付け後に接続プレートを正規位置で再度組み付ける場合でも、所期の嵌合力を保持することが出来る。
【００１１】
また、接続プレートを装着凹部に組み付けるに際して、装着凹部における誤結防止突起の位置と接続プレートにおける収容部の位置を確認することで、接続プレートの表裏判定が容易となって、組み付け作業の効率化を図ることも出来る。
【００１２】
本発明の第二の態様は、第一の態様に記載のものにおいて、前記収容部が前記接続プレートにおいて前記装着凹部の底面に重ね合わされる前記面に開口する凹部によって構成されている一方、前記誤結防止突起の突出高さ寸法が前記凹部の深さ寸法以下とされているものである。
【００１３】
本態様によれば、収容部が接続プレートの一方の面のみに開口されることから、接続プレートの表裏判定を一層容易にすることが出来る。また、誤結防止突起の突出高さ寸法を凹部の深さ寸法以下とすることによって、正規の方向で接続プレートを圧入した場合には誤結防止突起の全体が収容部に収容されて、誤結防止突起で接続プレートの圧入が阻止されることが回避されることから、接続プレートが挿入凹部の底面に接触された安定した重ね合わせ状態とすることが出来る。
【００１４】
本発明の第三の態様は、第一の態様に記載のものにおいて、前記収容部が前記接続プレートの厚さ方向に貫通する貫通孔によって構成されているものである。本態様によれば、収容部への誤結防止突起の挿入を、貫通孔を通じて外部から確認することが出来る。これにより、装着凹部への嵌め入れの前に目視で誤結を判断することも可能となる。また、誤結防止突起の収容部への挿入を目視確認しつつ行なうことが可能であり、組み付け作業をより容易に行なうことが出来る。
【００１５】
本発明の第四の態様は、第一〜第三の何れか一つの態様に記載のものにおいて、前記誤結防止突起の突出高さ寸法が前記装着凹部の深さ寸法以上とされているものである。本態様によれば、接続プレートが誤った向きで装着凹部に装着されようとした場合には、誤結防止突起で装着凹部への入り込みを完全に阻止することが出来る。これにより、誤組付けによる嵌合力の低下をより確実に防止することが出来る。
【００１６】
本発明の第五の態様は、第一〜第四の何れか一つの態様に記載のものにおいて、前記収容部に対して、前記誤結防止突起が外周面上に隙間を隔てて収容されるようになっているものである。本態様によれば、接続プレートを装着凹部に圧入するに際して、誤結防止突起の収容部への収容に嵌合力を必要とすることが無く、接続プレートの圧入力が不要に増大することを回避出来る。
【００１７】
本発明の第六の態様は、第一〜第五の何れか一つの態様に記載のものにおいて、前記装着凹部の周壁部には、周上の複数箇所において内周面上に突出する圧入リブが一体形成されており、前記装着凹部に嵌め入れられた前記接続プレートの外周面がこれら複数の圧入リブの突出先端部に対して当接されて位置決め嵌合されているものである。
【００１８】
本態様によれば、装着凹部の内周面の全周に亘って圧入代を設ける場合に比して、小さな圧入力で接続プレートを圧入することが出来る。また、接続プレートの装着凹部への圧入に際して発生する樹脂屑も軽減出来ることから、樹脂屑が入り込むことによる嵌合不良等のおそれも有利に軽減することが出来る。
【発明の効果】
【００１９】
本発明によれば、誤結防止突部の位置と収容部の位置を合わせることによって、接続プレートの表裏を容易に判定することが出来る。また、接続プレートを誤った向きで装着凹部に圧入しようとした場合には、誤結防止突部で接続プレートの装着凹部への入り込みを制限出来る。これにより、接続プレートの誤組付けを防止すると共に、誤組付けに起因する装着凹部の緩みを軽減することが出来て、正規の位置で圧入された際に、所期の嵌合力を安定して発揮することが出来る。
【図面の簡単な説明】
【００２０】
【図１】本発明の第一の実施形態としての電気接続箱の分解斜視図。
【図２】図１に示した電気接続箱を構成する箱本体の上面図と要部拡大図。
【図３】図１に示した電気接続箱を構成する接続プレートの裏面図。
【図４】図１に示した電気接続箱の要部を説明するための断面説明図。
【図５】図１に示した電気接続箱への外部端子の組付状態を示す上面図。
【図６】本発明の第二の実施形態としての電気接続箱の要部を説明するための断面説明図。
【発明を実施するための形態】
【００２１】
以下、本発明の実施形態について、図面を参照しつつ説明する。
【００２２】
先ず、図１に、本発明の第一の実施形態としての電気接続箱１０を示す。電気接続箱１０は、箱本体１２と、箱本体１２に装着される接続プレート１４ａ，１４ｂを含んで構成されている。
【００２３】
図２に、箱本体１２を示す。なお、図２においては、理解を容易とするために、後述する圧入リブ２８の大きさを誇張して図示する。箱本体１２は、合成樹脂からなるブロック形状とされている。箱本体１２には、一対の装着凹部１６ａ，１６ｂが形成されている。これら装着凹部１６ａ，１６ｂはそれぞれ接続プレート１４ａ，１４ｂに対応する形状をもって箱本体１２の一方に開口する凹形状とされており、本実施形態における装着凹部１６ａ，１６ｂは、それぞれ、全体として略五角形の形状を有している。装着凹部１６ａ，１６ｂの外周縁部には、底面１８から立ち上がる周壁部２０が周方向で部分的に形成されている。また、底面１８には、凹状のナット収容部２２が開口形成されており、各ナット収容部２２に、ナット２４が底面１８から突出することなく収容されている。
【００２４】
周壁部２０には、周上の複数箇所において、内周面２６から装着凹部１６ａ，１６ｂの内方に突出する圧入リブ２８が一体形成されている。圧入リブ２８は装着凹部１６ａ，１６ｂの深さ方向の略全長に亘って形成されている。圧入リブ２８の断面形状としては内周面２６からの突出方向で先細となる断面形状が好ましく、本実施形態においては、三角断面形状とされている。また、圧入リブ２８は、装着プレート１４ａ，１４ｂの嵌め入れを容易とするために、開口側端部３０（図４参照）において、内周面２６からの突出量が装着凹部１６ａ，１６ｂの開口端部から次第に大きくなる傾斜状とされている。なお、周壁部２０におけるこれら圧入リブ２８の形成箇所は限定されるものではないが、圧入固定力を有効に得るために、好適には、多角形状を有する装着凹部１６ａ，１６ｂの一辺の中央部分にそれぞれ形成されることが好ましい。また、装着凹部１６ａ，１６ｂの一辺の長さが大きい場合には、一辺上に複数の圧入リブ２８を間隔を隔てて形成する等しても良い。
【００２５】
さらに、装着凹部１６ａ，１６ｂの底面１８には、誤結防止突起３２が装着凹部１６ａ，１６ｂの開口方向に突出して一体形成されている。誤結防止突起３２の底面１８からの突出高さ寸法：ｈ（図４参照）は、装着凹部１６ａ，１６ｂの深さ寸法：Ｄよりも小さくされている。誤結防止突起３２の形成位置は、凹部４２に収容されることで装着凹部１６ａ，１６ｂに対する接続プレート１４ａ，１４ｂの相対位置が一義的に定められるように、装着凹部１６ａ，１６ｂが左右対称形状である場合にはその対称軸から外れた位置に設定されることが好ましい。また、装着凹部１６ａ，１６ｂの対称軸の有無に関わらず、誤結防止突起３２は、装着凹部１６ａ，１６ｂの中央部分から外れた位置に形成されることが好ましい。更に、誤結防止突起３２は、後述する接続プレート１４ａ，１４ｂの誤圧入による圧入リブ２８の削れを有効に阻止するために、圧入リブ２８に近接して形成されることが好ましい。本実施形態においては、装着凹部１６ａ，１６ｂの中央部分から外れて圧入リブ２８に近接した位置に、それぞれ一つの誤結防止突起３２が形成されている。
【００２６】
これら装着凹部１６ａ，１６ｂには、接続プレート１４ａ，１４ｂがそれぞれ嵌め入れられる。図３に、接続プレート１４ａ，１４ｂの裏面３４側を示す。接続プレート１４ａ，１４ｂは、導電性金属材から形成された、容易に変形することの無い適当な厚さ寸法を有する板形状とされており、本実施形態においては、接続プレート１４ａ，１４ｂの厚さ寸法は、装着凹部１６ａ，１６ｂの深さ寸法：Ｄと略等しくされている。
【００２７】
また、接続プレート１４ａ，１４ｂは、それぞれ、装着凹部１６ａ，１６ｂに嵌め入れ可能な、装着凹部１６ａ，１６ｂに対して一回り小さな略同形状とされており、本実施形態においては、それぞれ全体として略五角形の形状とされている。なお、本実施形態における接続プレート１４ａ，１４ｂはそれぞれ左右非対称形状とされており、図３中の左右方向において中心から外れた位置に、外方に突出する突出片部３６が形成されている。また、一方の接続プレート１４ａには、切欠３７が形成されている。
【００２８】
さらに、接続プレート１４ａ，１４ｂには、ボルト挿通孔３８ａ〜３８ｇが貫設されている。これらボルト挿通孔３８ａ〜３８ｇのうち、ボルト挿通孔３８ａ〜３８ｆは、装着凹部１６ａ，１６ｂに設けられたナット２４と対応する位置に形成されている。一方、ボルト挿通孔３８ｇは、箱本体１２に貫設された貫通孔４０と重なる位置に形成されている。
【００２９】
これら接続プレート１４ａ，１４ｂは、正規位置で装着凹部１６ａ，１６ｂに嵌め入れられた場合には、裏面３４が底面１８と重ね合わされる。そして、この裏面３４に、収容部としての凹部４２が開口形成されている。凹部４２は、裏面３４において、装着プレート１４ａ，１４ｂが装着凹部１６ａ，１６ｂに正規の向きで嵌め入れられた場合に、誤結防止突起３２と重なる位置に形成されている。
【００３０】
凹部４２は円形の断面形状をもって接続プレート１４ａ，１４ｂの厚さ方向に延びる凹形状を有している。凹部４２の径寸法は、誤結防止突起３２の径寸法よりもやや大きくされている。また、凹部４２の深さ寸法：ｄ（図４参照）は、誤結防止突起３２の底面１８からの突出高さ寸法：ｈ以上に設定されており、本実施形態においては、誤結防止突起３２の突出高さ寸法：ｈよりもやや大きくされている。これにより、凹部４２は、誤結防止突起３２を、誤結防止突起３２の突出先端面４３および外周面４４に対して隙間を隔てて収容出来るようにされている。
【００３１】
このような構造とされた接続プレート１４ａ，１４ｂは、それぞれ、装着凹部１６ａ，１６ｂに対して、裏面３４を底面１８に対向位置させた向きで嵌め入れられる。図４に示すように、この嵌め入れに際して、接続プレート１４ａ，１４ｂの外周面４６が、圧入リブ２８における装着凹部１６ａ，１６ｂ内方への突出先端部４９に接触される。これにより、接続プレート１４ａ，１４ｂは、圧入リブ２８を擦りつつ装着凹部１６ａ，１６ｂにそれぞれ嵌め入れられて、圧入リブ２８によって装着凹部１６ａ，１６ｂ内での位置決め状態で嵌合固定される。
【００３２】
接続プレート１４ａ，１４ｂは、装着凹部１６ａ，１６ｂへの嵌め入れ状態において、裏面３４が底面１８への接触状態で重ね合わされる一方、裏面３４と反対側の表面４８が、装着凹部１６ａ，１６ｂの周壁部２０の突出端面５０と同一平面上に位置される。さらに、凹部４２が誤結防止突起３２に重ね合わされて、誤結防止突起３２が凹部４２に収容される。
【００３３】
図５に示すように、接続プレート１４ａ，１４ｂが圧入リブ２８で装着凹部１６ａ，１６ｂに位置決め状態で圧入固定されることによって、各ボルト挿通孔３８ａ〜３８ｆは、それぞれナット２４のねじ孔５２（図１、図２参照）と位置合わせされると共に、ボルト挿通孔３８ｇは貫通孔４０に重ね合わされる。この状態で、箱本体１２は、その外周壁に形成されたロック部５４によって、図示しないカバー部材に対して収容状態で固定される。
【００３４】
そして、箱本体１２のカバー部材への収容固定状態において、接続プレート１４ａは、ボルト５６（図１参照）が、突出片部３６の基端部分に形成されたボルト挿通孔３８ａを通じて、表面４８側からナット２４のねじ孔５２に螺合されることによって、箱本体１２にボルト固定される。一方、接続プレート１４ｂは、突出片部３６の基端部分に形成されたボルト挿通孔３８ｇに、カバー部材に収容されたナットが表面４８側から重ね合わされるようになっている。そして、カバー部材に収容されたナットに対して、ボルト５６が貫通孔４０およびボルト挿通孔３８ｇを通じて裏面３４側から螺合されることによって、箱本体１２にボルト固定される。
【００３５】
さらに、接続プレート１４ａのボルト挿通孔３８ｂ，３８ｃには、それぞれ、外部配線の末端に設けられた導電性の金属片からなる外部端子５８が表面４８に重ね合わされる。これにより、外部端子５８に貫設されたボルト挿通孔６０が、ボルト挿通孔３８ｂ，３８ｃに表面４８側から重ね合わされる。そして、これら外部端子５８のボルト挿通孔６０および接続プレート１４ａのボルト挿通孔３８ｂ，３８ｃを通じて、ボルト５６が表面４８側からナット２４に螺合されることによって、接続プレート１４ａの表面４８に、外部端子５８が重ね合わされた状態で固定されて電気的に接続される。一方、接続プレート１４ｂのボルト挿通孔３８ｆについても、接続プレート１４ａと同様に、外部端子５８がボルト５６で固定される。
【００３６】
加えて、接続プレート１４ａのボルト挿通孔３８ｄと、接続プレート１４ｂのボルト挿通孔３８ｅには、内部回路としてのＭＩＤＩヒューズ６２の両端部に突出形成された、導電性の金属片からなる外部端子としての一対のヒューズ端子６４のボルト挿通孔６６がそれぞれ重ね合わされる。そして、ヒューズ端子６４のボルト挿通孔６６および接続プレート１４ａ，１４ｂのボルト挿通孔３８ｄ、３８ｅを通じて、ボルト５６が表面４８側からナット２４に螺合される。これにより、ＭＩＤＩヒューズ６２が、接続プレート１４ａ，１４ｂ間での架設状態で箱本体１２に収容されると共に、これら接続プレート１４ａ，１４ｂと導通される。
【００３７】
そして、接続プレート１４ａ，１４ｂは、これら外部端子５８やヒューズ端子６４が重ね合わされるボルト挿通孔３８ｂ〜３８ｆに挿通されるボルト５６によっても、外部端子５８やヒューズ端子６４を介して箱本体１２への固定力が及ぼされることとなる。
【００３８】
このような構造とされた電気接続箱１０によれば、接続プレート１４ａ，１４ｂを装着凹部１６ａ，１６ｂに嵌め入れる際には、凹部４２が裏面３４のみに開口されていることから、凹部４２の存否を確認することによって、接続プレート１４ａ，１４ｂの表面４８と裏面３４を容易に判別することが出来る。これにより、極めて簡易な構成で、接続プレート１４ａ，１４ｂを、裏面３４が装着凹部１６ａ，１６ｂの底面１８と対向された正規の組み付け状態に容易に位置させることが出来て、誤組付けのおそれを有効に軽減することが出来る。
【００３９】
また、凹部４２および誤結防止突起３２が、それぞれ、裏面３４および底面１８の中央部分から外れて位置されていることから、凹部４２を誤結防止突起３２に位置合わせすることによって、接続プレート１４ａ，１４ｂの表裏と共に、装着凹部１６ａ，１６ｂに対する周方向の位置決めも容易に行なうことが出来る。更に、本実施形態においては、接続プレート１４ａ，１４ｂおよび装着凹部１６ａ，１６ｂがそれぞれ全体として略五角形とされていると共に、突出片部３６や切欠３７が部分的に形成されていることによって、接続プレート１４ａ，１４ｂの装着凹部１６ａ，１６ｂに対する正規の組付位置をより容易に判別することが出来るようになっている。
【００４０】
そして、接続プレート１４ａ，１４ｂが装着凹部１６ａ，１６ｂに対して正規の位置で組み付けられた場合には、誤結防止突起３２が凹部４２内に収容されることによって、裏面３４が底面１８に重ね合わされて、表面４８が周壁部２０の突出端面５０と略同一平面上に位置するまで、接続プレート１４ａ，１４ｂを装着凹部１６ａ，１６ｂ内に挿入することが出来る。これにより、接続プレート１４ａ，１４ｂを、ボルト５６で固定する前から圧入リブ２８で装着凹部１６ａ，１６ｂ内に圧入固定して、箱本体１２と一体的に取り扱うことが可能となる。その結果、手指で接続プレート１４ａ，１４ｂの脱落を防止しつつ箱本体１２をカバー部材に組み付けるような手間も不要とすることが出来て、組み付け工数の更なる削減を図ることが出来る。
【００４１】
また、接続プレート１４ａ，１４ｂは、圧入リブ２８で装着凹部１６ａ，１６ｂ内に圧入固定されることから、例えば圧入リブ２８を有することなく、接続プレート１４ａ，１４ｂが装着凹部１６ａ，１６ｂの内周面２６の全体で圧入固定される場合に比して、小さな挿入力で接続プレート１４ａ，１４ｂを装着凹部１６ａ，１６ｂに容易に嵌め入れることが出来る。それと共に、例えば圧入リブ２８を有することなく、内周面２６の全体と接続プレート１４ａ，１４ｂが互いに干渉する場合に比して、樹脂屑の発生も軽減することが出来て、樹脂屑が入り込むことに起因する装着凹部１６ａ，１６ｂに対する嵌合不良や、外部端子５８およびヒューズ端子６４に対する接触不良等のおそれを有利に低減することが出来る。
【００４２】
そして、万が一接続プレート１４ａ，１４ｂが表裏反転して、或いは誤った周方向位置で装着凹部１６ａ，１６ｂに圧入された場合には、凹部４２の非形成部分である表面４８や裏面３４が誤結防止突起３２の突出先端面４３に当たることによって、それ以上の圧入が阻止される。従って、圧入リブ２８において少なくとも誤結防止突起３２の突出先端面４３よりも底面１８側の部位は、接続プレート１４ａ，１４ｂが正規の組付方向で挿入されない限り、接続プレート１４ａ，１４ｂの無理な圧入によって圧入リブ２８が削られることが無い。これにより、誤圧入の削れに起因する圧入リブ２８の固定力の低下を抑えることが出来て、接続プレート１４ａ，１４ｂが正規の組付方向で組み付けられた際の圧入固定力を安定的に発揮することが出来る。また、接続プレート１４ａ，１４ｂが誤方向で完全に圧入される前の圧入リブ２８による固定力が小さな段階で誤圧入を阻止出来ることから、装着凹部１６ａ，１６ｂからの取り外しも容易に行なうことが出来る。
【００４３】
また、誤結防止突起３２が凹部４２に隙間を隔てて収容されることから、誤結防止突起３２の凹部４２への収容に際して嵌合力を必要とすることも無く、接続プレート１４ａ，１４ｂの装着凹部１６ａ，１６ｂへの嵌合力が不必要に大きくなることも回避することが出来る。
【００４４】
次に、図６に、本発明の第二の実施形態を示す。なお、第二の実施形態は、前記第一の実施形態における誤結防止突起と収容部の形状が異ならされた点を除いて、前記第一の実施形態と同様の構造であることから、前記第一の実施形態における図４に対応する部位のみを示す。
【００４５】
すなわち、本実施形態における誤結防止突起７０は、底面１８からの突出高さ寸法：ｈが、装着凹部１６ａ，１６ｂの深さ寸法：Ｄ以上に設定されており、特に本実施形態においては、他部材との干渉等を考慮して、深さ寸法：Ｄと等しくされている。これにより、誤結防止突起７０の突出先端面７２は、装着凹部１６ａ，１６ｂの周壁部２０の突出端面５０と同一平面上に位置されている。
【００４６】
一方、装着プレート１４ａ，１４ｂにおいて、装着凹部１６ａ，１６ｂへの正規の組付状態で誤結防止突起７０と重なり合う位置には、収容部としての収容孔７４が形成されている。収容孔７４は、装着プレート１４ａ，１４ｂの厚さ方向に貫通して表面４８および裏面３４にそれぞれ開口する貫通孔とされている。なお、収容孔７４の径寸法は、誤結防止突起７０を隙間を隔てて収容出来るように、誤結防止突起７０の径寸法よりも大きくされることが好ましい。
【００４７】
本実施形態においては、装着プレート１４ａ，１４ｂが装着凹部１６ａ，１６ｂに正規の組付方向で嵌め入れられた場合には、誤結防止突起７０が、収容孔７４への挿入状態で収容される。この誤結防止突起７０の収容孔７４への挿入に際して、収容孔７４が表面４８にも開口されていることから、表面４８側から誤結防止突起７０の位置および収容孔７４への収容状態を容易に確認することが出来る。
【００４８】
さらに、誤結防止突起７０の突出先端面７２が、装着凹部１６ａ，１６ｂの周壁部２０の突出端面５０と同一平面上に位置されていることから、接続プレート１４ａ，１４ｂが誤った向きで装着凹部１６ａ，１６ｂに嵌め入れられようとした場合には、収容孔７４の非形成部分である表面４８又は裏面３４が突出先端面７２に接触することによって、接続プレート１４ａ，１４ｂの装着凹部１６ａ，１６ｂへの誤圧入を完全に阻止して、圧入リブ２８の略全体を誤圧入による削れから保護することが出来る。その結果、接続プレート１４ａ，１４ｂが正規位置で装着凹部１６ａ，１６ｂに嵌め入れられた場合には、圧入リブ２８の略全体を用いて、より安定した圧入固定力を得ることが出来る。
【００４９】
以上、本発明の実施形態について詳述したが、本発明はその具体的な記載によって限定されない。例えば、誤結防止突起や収容部の具体的形状が特に限定されるものでないのは勿論であって、矩形断面形状やその他の多角形断面形状、或いはそれらと曲線を組み合わせた断面形状を採用する等しても良い。また、誤結防止突起は、必ずしも収容部に隙間を隔てて収容される必要は無く、誤結防止突起を収容部への圧入構造とすることによって、これら誤結防止突起と収容部との嵌合力を接続プレートの箱本体への固定力として利用しても良い。
【００５０】
また、誤結防止突起の形成個数も限定されるものではなく、装着プレートを装着凹部に位置合わせするためであれば、前記実施形態のように各装着凹部にそれぞれ１つの誤結防止突起を形成すれば足る。但し、誤結防止突起を複数形成することも勿論可能であって、複数の誤結防止突起によって、誤圧入時に接続プレートにおける誤結防止突起との非接触部分が局所的に装着凹部に入り込むようなことをより有効に阻止して、誤圧入をより効果的に阻止することも可能である。
【００５１】
更にまた、接続プレートの具体的な形状や枚数も特に限定されるものではない。特に接続プレートとして、左右対称形状或いはそれに近い矩形状や多角形状を採用する場合には、本発明に従う誤結防止効果がより効果的に発揮されることとなる。
【符号の説明】
【００５２】
１０：電気接続箱、１２：箱本体、１４ａ，ｂ：接続プレート、１６ａ，ｂ：装着凹部、１８：底面、２０：周壁部、２６：内周面、２８：圧入リブ、３２：誤結防止突起、３４：裏面、４２：凹部（収容部）、４４：外周面（誤結防止突起）、４６：外周面（接続プレート）、４８：表面、４９：突出先端部、５８：外部端子、６２：ＭＩＤＩヒューズ（内部回路）、６４：ヒューズ端子（外部端子）
【図１】
2011223694.tif 000003
【図２】
2011223694.tif 000004
【図３】
2011223694.tif 000005
【図４】
2011223694.tif 000006
【図５】
2011223694.tif 000007
【図６】
2011223694.tif 000008